【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
装置であって、１６０マイクロ秒の短いフレーム間間隔（ＳＩＦＳ）時間と４０マイクロ秒のクリアチャンネルアセスメント（ＣＣＡ）時間に少なくとも部分的に基づく開始時間に、サブ１ギガヘルツ（ＧＨｚ）ワイヤレスネットワークを介して、フレームを送信するように構成された送信機を備える装置。
【請求項２】
前記開始時間はさらに、６マイクロ秒のエア伝搬時間に少なくとも部分的に基づく、請求項１に記載の装置。
【請求項３】
前記開始時間はさらに、２５０マイクロ秒のクリアチャネルアセスメント（ＣＣＡ）中間時間に少なくとも部分的に基づく、請求項１に記載の装置。
【請求項４】
前記開始時間はさらに、５２マイクロ秒のスロット時間に少なくとも部分的に基づく、請求項１に記載の装置。
【請求項５】
前記送信機は、米国電気電子学会（ＩＥＥＥ）８０２．１１ａｈ標準に準拠する、請求項１に記載の装置。
【請求項６】
命令を記憶する非一時的なコンピュータ可読記憶デバイスであって、前記命令は、プロセッサによって実行される時に、短いフレーム間間隔（ＳＩＦＳ）時間とクリアチャネルアセスメント（ＣＣＡ）時間に基づく開始時間に、サブ１ギガヘルツ（ＧＨｚ）ワイヤレスネットワークを介して、フレームの送信を開始することを前記プロセッサにさせ、ここにおいて、前記ＳＩＦＳ時間は１６０マイクロ秒であり、前記ＣＣＡ時間は４０マクロ秒である、非一時的なコンピュータ可読記憶デバイス。
【請求項７】
前記開始時間はさらに、６マイクロ秒のエア伝搬時間に少なくとも部分的に基づく、請求項６に記載の非一時的なコンピュータ可読記憶デバイス。
【請求項８】
前記開始時間はさらに、２５０マイクロ秒のクリアチャネルアセスメント（ＣＣＡ）中間時間に少なくとも部分的に基づく、請求項６に記載の非一時的なコンピュータ可読記憶デバイス。
【請求項９】
前記開始時間はさらに、５２マイクロ秒のスロット時間に少なくとも部分的に基づく、請求項６に記載の非一時的なコンピュータ可読記憶デバイス。
【請求項１０】
命令を記憶する非一時的なコンピュータ可読記憶デバイスであって、前記命令は、プロセッサによって実行される時に、クリアチャネルアセスメント（ＣＣＡ）時間に基づく開始時間に、サブ１ギガヘルツ（ＧＨｚ）ワイヤレスネットワークを介して、フレームの送信を開始することを前記プロセッサにさせ、ここにおいて、前記ＣＣＡ時間は４０マイクロ秒である、非一時的なコンピュータ可読記憶デバイス。
【請求項１１】
前記開始時間はさらに、６マイクロ秒のエア伝搬時間におよび短いフレーム間間隔（ＳＩＦＳ）時間に基づき、ここにおいて、前記ＳＩＦＳ時間は１６０マイクロ秒である、請求項１０に記載の非一時的なコンピュータ可読記憶デバイス。
【請求項１２】
サブ１ギガヘルツ（ＧＨｚ）ワイヤレスネットワークを介して、フレームを局から送信することを備える方法であって、前記フレームは、４０マイクロ秒のクリアチャネルアセスメント（ＣＣＡ）時間に少なくとも部分的に基づく開始時間に送信される、方法。
【請求項１３】
前記開始時間はさらに、１６０マイクロ秒の短いフレーム間間隔（ＳＩＦＳ）時間におよび６マイクロ秒のエア伝搬時間に少なくとも部分的に基づく、請求項１２に記載の方法。
【請求項１４】
フレームを生成するための手段と、
１６０マイクロ秒の短いフレーム間間隔（ＳＩＦＳ）時間と４０マイクロ秒のクリアチャンネルアセスメント（ＣＣＡ）時間に少なくとも部分的に基づく開始時間に、サブ１ギガヘルツ（ＧＨｚ）ワイヤレスネットワークを介して、前記フレームを送信するための手段と、
を備える装置。
【請求項１５】
前記フレームを生成するための前記手段はプロセッサを含み、前記フレームを送信するための前記手段は送信機を含む、請求項１４に記載の装置。
【手続補正２】
【補正対象書類名】明細書
【補正対象項目名】００７５
【補正方法】変更
【補正の内容】
【００７５】
[0079]開示された実施例の前の説明は、開示された実施例を作成または使用することを当業者に可能にするために提供される。これらの実施例対する種々の変更は、当業者にとって容易に明らかであり、およびここで定義された原則は、本開示の範囲から逸脱することなく他の実施例に対して適用され得る。従って、本開示は、ここに示された実施例に限定されるように意図されるものではないが、可能な限り広い範囲を下記の請求項によって定義されるような原則および新規事項に一致させるべきである。
以下に、本願出願の当初の特許請求の範囲に記載された発明を付記する。
[Ｃ１]
装置であって、１６０マイクロ秒の短いフレーム間間隔（ＳＩＦＳ）時間に少なくとも部分的に基づく開始時間に、サブ１ギガヘルツ（ＧＨｚ）ワイヤレスネットワークを介して、フレームを送信するように構成された送信機を備える装置。
[Ｃ２]
前記開始時間は、６マイクロ秒のエア伝搬時間に少なくとも部分的にさらに基づく、請求項１に記載の装置。
[Ｃ３]
前記開始時間は、４０マイクロ秒のクリアチャネルアセスメント（ＣＣＡ）時間に少なくとも部分的にさらに基づく、Ｃ１に記載の装置。
[Ｃ４]
前記開始時間は、６マイクロ秒のエア伝搬時間におよび４０マイクロ秒のクリアチャネルアセスメント（ＣＣＡ）時間に少なくとも部分的にさらに基づく、Ｃ１に記載の装置。
[Ｃ５]
前記送信機は、米国電気電子学会（ＩＥＥＥ）８０２．１１ａｈ標準に準拠する、請求項１に記載の装置。
[Ｃ６]
命令を記憶する非一時的なコンピュータ可読記憶デバイスであって、前記命令は、プロセッサによって実行される時に、短いフレーム間間隔（ＳＩＦＳ）時間に基づく開始時間に、サブ１ギガヘルツ（ＧＨｚ）ワイヤレスネットワークを介して、フレームの送信を開始することを前記プロセッサにさせ、そこにおいて、前記ＳＩＦＳ時間は１６０マイクロ秒である、非一時的なコンピュータ可読記憶デバイス。
[Ｃ７]
前記開始時間はさらに、６マイクロ秒のエア伝搬時間に少なくとも部分的に基づく、請求項６に記載の非一時的なコンピュータ可読記憶デバイス。
[Ｃ８]
前記開始時間はさらに、４０マイクロ秒のクリアチャネルアセスメント（ＣＣＡ）時間に少なくとも部分的に基づく、Ｃ６に記載の非一時的なコンピュータ可読記憶デバイス。
[Ｃ９]
前記開始時間はさらに、４０マイクロ秒のクリアチャネルアセスメント（ＣＣＡ）時間におよび６マイクロ秒のエア伝搬時間に少なくとも部分的に基づく、Ｃ６に記載の非一時的なコンピュータ可読記憶デバイス。
[Ｃ１０]
命令を記憶する非一時的なコンピュータ可読記憶デバイスであって、前記命令は、プロセッサによって実行される時に、クリアチャネルアセスメント（ＣＣＡ）時間に基づく開始時間に、サブ１ギガヘルツ（ＧＨｚ）ワイヤレスネットワークを介して、フレームの送信を開始することを前記プロセッサにさせ、そこにおいて、前記ＣＣＡ時間は４０マイクロ秒である、非一時的なコンピュータ可読記憶デバイス。
[Ｃ１１]
前記開始時間は、短いフレーム間間隔（ＳＩＦＳ）時間にさらに基づき、そこにおいて、前記ＳＩＦＳ時間は１６０マイクロ秒である、Ｃ１０に記載の非一時的なコンピュータ可読記憶デバイス。
[Ｃ１２]
前記開始時間は、６マイクロ秒のエア伝搬時間にさらに基づく、Ｃ１０に記載の非一時的なコンピュータ可読記憶デバイス。
[Ｃ１３]
前記開始時間は、６マイクロ秒のエア伝搬時間におよび短いフレーム間間隔（ＳＩＦＳ）時間にさらに基づき、そこにおいて、前記ＳＩＦＳ時間は１６０マイクロ秒である、請求項１０に記載の非一時的なコンピュータ可読記憶デバイス。
[Ｃ１４]
サブ１ギガヘルツ（ＧＨｚ）ワイヤレスネットワークを介して、フレームを局から送信することを備える方法であって、そこにおいて、前記フレームは、４０マイクロ秒のクリアチャネルアセスメント（ＣＣＡ）時間に少なくとも部分的に基づく開始時間に送信される、方法。
[Ｃ１５]
前記開始時間は、６マイクロ秒のエア伝搬時間に少なくとも部分的にさらに基づく、請求項１２に記載の方法。
[Ｃ１６]
前記開始時間は、１６０マイクロ秒の短いフレーム間間隔（ＳＩＦＳ）時間に少なくとも部分的にさらに基づく、Ｃ１４に記載の方法。
[Ｃ１７]
前記開始時間は、１６０マイクロ秒の短いフレーム間間隔（ＳＩＦＳ）時間におよび６マイクロ秒のエア伝搬時間に少なくとも部分的にさらに基づく、Ｃ１４に記載の方法。
[Ｃ１８]
フレームを生成するための手段と、
１６０マイクロ秒の短いフレーム間間隔（ＳＩＦＳ）時間に少なくとも部分的に基づく開始時間に、サブ１ギガヘルツ（ＧＨｚ）ワイヤレスネットワークを介して、前記フレームを送信するための手段、を備える装置。
[Ｃ１９]
前記フレームを生成するための前記手段はプロセッサを含む、Ｃ１８に記載の装置。
[Ｃ２０]
前記フレームを送信するための前記手段は送信機を含む、Ｃ１８に記載の装置。